(57)【要約】【課題】電気掃除機の吸込口体の長手方向両端部での吸引力の低下を抑制しながら、塵埃がスムーズに電気掃除機に吸引される電気掃除機の吸込口体を提供すること。【解決手段】上ケースと下ケースとで構成されるケース体と、ケース体の被清掃面と対向する面に設けられた開口と、開口から視認可能で、ケース体内に回転可能に収容される回転ブラシと、電気掃除機の接続部、あるいは電気掃除機の接続部と接続される延長管と接続可能に設けられた、通風路を有する接続管部と、を備え、ケース体には、回転ブラシが収容される円弧形状の回転ブラシ室が設けられ、回転ブラシ室の円弧形状は、ケース体の前端から内部側へ向かって形成され、接続管部の通風路との通風部を確保しつつ、回転ブラシ室の円弧形状の内部側の端部に仕切り壁を設けたものである。【選択図】図８
2020000562.tif 000002
【特許請求の範囲】
【請求項１】
上ケースと下ケースとで構成されるケース体と、
前記ケース体の被清掃面と対向する面に設けられた開口と、
前記開口から視認可能で、前記ケース体内に回転可能に収容される回転ブラシと、
電気掃除機の接続部、あるいは前記電気掃除機の接続部と接続される延長管と接続可能に設けられた、通風路を有する接続管部と、を備え、
前記ケース体には、前記回転ブラシが収容される円弧形状の回転ブラシ室が設けられ、前記回転ブラシ室の円弧形状は、前記ケース体の前端から内部側へ向かって形成され、前記接続管部の通風路との通風部を確保しつつ、前記回転ブラシ室の円弧形状の内部側の端部に仕切り壁を設けた電気掃除機の吸込口体。
【請求項２】
前記接続管部は、前記ケース体の長手方向の中央部に可動可能に取付けられ、
前記接続管部の一端側は前記ケース体内に収容されるように構成され、他端側は前記ケース体外で電気掃除機の接続部、あるいは前記電気掃除機の接続部と接続される延長管と接続可能に構成されており、
前記接続管部の前記一端側には、前記開口及び前記ブラシ室と通気可能な連通空間を介して連通する吸引口を有し、前記開口の後端辺から前記接続管部の前記一端側に向かって傾斜する傾斜部が設けられた請求項１に記載の電気掃除機の吸込口体。
【請求項３】
前記ブラシ室と前記接続管部の前記吸引口とを連通する前記連通空間の天面は、前記傾斜部と同じ方向に傾斜している請求項２に記載の電気掃除機の吸込口体。
【請求項４】
前記仕切り壁は、前記接続管部が取付けられた前記ケース体の長手方向の中央部において、一定の幅で設けられていない、あるいは高さが低く形成されている範囲がある請求項１から請求項３何れか１項に記載の電気掃除機の吸込口体。
【請求項５】
前記仕切り壁が設けられていない、あるいは高さが低く形成されている前記一定の幅は、前記接続管部の前記通風路の内径以上である請求項４に記載の電気掃除機の吸込口体。
【請求項６】
前記仕切り壁の前記回転ブラシ室側の端部と、前記開口の前記後端辺は、被清掃面側から垂直方向で見たときに同一直線上を含む決められた範囲にある請求項２から請求項５何れか１項に記載の電気掃除機の吸込口体。
【請求項７】
前記傾斜部は、前記ケース体の長手方向の中央部で前記仕切り壁が設けられていない、あるいは高さが低く形成されている箇所と、前記仕切り壁がある、あるいは高さが低く形成されていない箇所とで傾斜の角度が異なる請求項２から請求項６何れか１項に記載の電気掃除機の吸込口体。
【請求項８】
前記傾斜部は、前記開口の後端辺から前記接続管部の前記一端側に向かって傾斜するとともに、前記傾斜部の左右方向の端部から前記接続管部の前記一端側に向かって傾斜している請求項２から請求項７何れか１項に記載の電気掃除機の吸込口体。
【請求項９】
前記仕切り壁は、前記回転ブラシ室の円弧形状が円の半周を超えないように形成されている請求項１から請求項８何れか１項に記載の電気掃除機の吸込口体。
【請求項１０】
前記仕切り壁の下端が、前記回転ブラシの回転軸中心を通る被清掃面と平行な直線を超えないように形成されている請求項９に記載の電気掃除機の吸込口体。
【請求項１１】
塵埃を吸い込むための吸引風を発生させる電動送風機と、
前記塵埃を収容するための集塵部を設けた掃除機本体と、
取り回しのための把持部と、
前記電動送風機の切入及び強弱を操作する操作部と、
請求項１から請求項１０何れか１項に記載の電気掃除機の吸込口体と、
を備えたことを特徴とする電気掃除機。
【発明の詳細な説明】
【技術分野】
【０００１】
本発明は電気掃除機の吸込口体と電気掃除機に関する。
【背景技術】
【０００２】
電気掃除機には、本体内部に塵挨を含んだ空気を吸引するための吸引風を生じさせる電動送風機が設けられ、この電動送風機により生み出された吸引風によって本体内部に塵挨を含んだ空気を吸引するための吸込口体が接続されており、被清掃面の塵埃を掻き上げるための回転ブラシを有する吸込口体が知られている。（例えば、特許文献１、特許文献２参照）。
【先行技術文献】
【特許文献】
【０００３】
【特許文献１】特開平成１１−４７０５０号公報（第４頁、図１）
【特許文献２】特開２０１４−２１３００９号公報（第８頁、図９）
【発明の概要】
【発明が解決しようとする課題】
【０００４】
一般的に電機掃除機と接続される吸引風の吸引部は、吸込口体の長手方向の中央部に設けられている。そのため、吸込口体の長手方向の中央部に比べ両端部に向かっていくほど吸引風の風速が小さくなり吸引力は弱くなる。
【０００５】
特許文献１に記載の電気掃除機の吸込口体は、回転ブラシが収容される空間と吸引部とが、吸込口体の長手方向のおいて同様に形成されているので、やはり吸込口体の長手方向の中央部に比べ両端部に向かっていくほど吸引風の風速が小さくなり吸引力は弱くなる。
【０００６】
特許文献２に記載の電気掃除機の吸込口体は、吸引力が弱くなることを抑制するため、回転ブラシが収容される空間が囲うように形成されているが、回転ブラシが掻き上げた塵埃が吸引部との間にある空間の壁に撃ち付けられ、回転ブラシが収容される空間側に戻ることが頻繁に起こり、塵埃がスムーズに電気掃除機に吸引されていかず塵埃の吸引に時間が掛かる。
【０００７】
本発明は、かかる課題を解決するために、電気掃除機の吸込口体の長手方向両端部での吸引力の低下を抑制しながら、塵埃がスムーズに電気掃除機に吸引される電気掃除機の吸込口体を提供することを目的とする。
【課題を解決するための手段】
【０００８】
課題を解決する本発明に係る電気掃除機の吸込口体は、上ケースと下ケースとで構成されるケース体と、ケース体の被清掃面と対向する面に設けられた開口と、開口から視認可能で、ケース体内に回転可能に収容される回転ブラシと、電気掃除機の接続部、あるいは電気掃除機の接続部と接続される延長管と接続可能に設けられた、通風路を有する接続管部と、を備え、ケース体には、回転ブラシが収容される円弧形状の回転ブラシ室が設けられ、回転ブラシ室の円弧形状は、ケース体の前端から内部側へ向かって形成され、接続管部の通風路との通風部を確保しつつ、回転ブラシ室の円弧形状の内部側の端部に仕切り壁を設けたものである。
【発明の効果】
【０００９】
本発明によれば、接続管部の通風路との通風部を確保したので塵埃がスムーズに吸引され、回転ブラシ室の円弧形状の内部側の端部に仕切り壁を設けたので回転ブラシが収容される空間を囲むように小さくでき、吸引力の低下を抑制することができる。
【図面の簡単な説明】
【００１０】
【図１】本発明の実施の形態１に係る電気掃除機の吸込口体を備える電気掃除機の概略構成を示す斜視図である。
【図２】本発明の実施の形態１に係る電気掃除機の吸込口体を備える電気掃除機本体の側面図である。
【図３】本発明の実施の形態１に係る電気掃除機の吸込口体を備える電気掃除機本体の中心を前後方向で切断し側面から見た断面図である。
【図４】本発明の実施の形態１に係る電気掃除機の吸込口体を上方から見た平面図である。
【図５】本発明の実施の形態１に係る電気掃除機の吸込口体を下方（被清掃面側）から見た平面図である。
【図６】本発明の実施の形態１に係る電気掃除機の吸込口体から回転ブラシを取り外した状態で下方（被清掃面側）から見た平面図である。
【図７】図４に示す切断線Ａ−Ａで切断し側面方向から見た本発明の実施の形態１に係る電気掃除機の吸込口体の断面図である。
【図８】図４に示す切断線Ｂ−Ｂで切断し側面方向から見た本発明の実施の形態１に係る電気掃除機の吸込口体の断面図である。
【図９】図６に示す切断線Ｃ−Ｃで切断し前側方向から見た本発明の実施の形態１に係る電気掃除機の吸込口体の断面図である。
【図１０】本発明の実施の形態１に係る電気掃除機の吸込口体から取り外した傾斜部の単体図である。
【図１１】本発明の実施の形態１に係る電気掃除機の吸込口体の傾斜部を構成する部品の組付状態を示す要部断面図である。
【発明を実施するための形態】
【００１１】
実施の形態１
（電気掃除機の構成）
図１は本発明の実施の形態１に係る電気掃除機の吸込口体を備える電気掃除機の概略構成を示す斜視図、図２は本発明の実施の形態１に係る電気掃除機の吸込口体を備える電気掃除機本体の側面図、図３は本発明の実施の形態１に係る電気掃除機の吸込口体を備える電気掃除機本体の中心を前後方向で切断し側面から見た断面図である。
【００１２】
以下、図１から図３により本発明の実施の形態１に係る電気掃除機の吸込口体を備える電気掃除機の構成について説明する。
なお、それぞれの図において、同じ部分または相当する部分には同じ符号を付し、一部の説明を省略することがある。
【００１３】
図１に示すように、本発明の実施の形態１に係る電気掃除機の吸込口体１は、後段で詳しく説明する吸込口体１に回動可能に取付けられた、通風路を有する接続管部１ａにより延長管２の一端と接続されている。
【００１４】
延長管２の他端は操作部４及び手元ハンドル部３ａを備える管体３の一端と接続され、管体３の他端には可撓性軟質管５ｂと接続部５ａから成るホース体５が接続されている。ホース体５の接続部５ａが電機掃除機本体６の挿入口７に接続され、掃除機１００が構成される。
【００１５】
延長管２は外郭を射出成形で形成された硬質の樹脂で構成した部品であり、図示しない伸縮構造を有し、一端が吸込口体１と接続され、他端が管体３の一端と接続されて吸引風の風路の一部を構成している。
【００１６】
管体３に備えられた手元ハンドル部３ａも、管体３と射出成形で一体に形成された硬質の樹脂で構成されているが、使用者が握りやすくなるように、使用者が握る箇所の一部に軟質の樹脂部品を使用してもよい。
【００１７】
管体３には図３に示す、電機掃除機本体６に内包された電動送風機１５を起動させたり、駆動を停止させたりする入り切りスイッチ、電動送風機２３の駆動力を強くしたり弱くしたりする出力可変スイッチ、後述する吸込口体１に収容された回転ブラシを駆動させるための回転ブラシ駆動スイッチを備えた操作部４が設けられている。
【００１８】
管体３も吸引風の風路の一部を構成しており、延長管２が接続されている側の他端がホース体５の可撓性軟質管５ｂと接続される。可撓性軟質管５ｂは、中空で蛇腹のような可撓性を有する軟質樹脂部品で構成されている。
【００１９】
電機掃除機本体６の外郭は射出成形で形成された樹脂部品で構成されている。電機掃除機本体６には、電機掃除機本体６を持ち運ぶときに使用されるハンドル９が設けられている。ハンドル９も射出成形で形成された樹脂部品で形成されている。
【００２０】
また、電機掃除機本体６の前側には、図１〜図３に示すように集塵ユニット（集塵部）８を収容する集塵ユニット収容部６ａが設けられている。集塵ユニット収容部６ａには挿入口７が設けられ、一端が管体３と接続されているホース体５の他端に設けられた接続部５ａを挿入口７に挿入することで、ホース体５が電機掃除機本体６に接続される。
【００２１】
図２に示すように、使用者が清掃するときに電機掃除機本体６を被清掃面上で取り回しやすくするため、電機掃除機本体６の下面には進行方向を変えることができるキャスタータイプの前輪１０を、電機掃除機本体６の後方には口径の大きい後輪１１を備えている。
【００２２】
図３に示すように、電機掃除機本体６内の後方寄りに電動送風機１５が設けられている。電動送風機１５は、駆動させることにより、後述する吸込口体１から空気と一緒に塵埃を吸引する吸引風を発生させる。
【００２３】
また、電機掃除機本体６内の後方寄りで、電動送風機１５の側方には図示しない制御基板が設けられていて、実装された図示しないマイコンに包含される制御手段は、操作部４に設けられた入り切りスイッチの操作により、電動送風機１５を起動させたり、電動送風機１５の駆動を停止させたりして、電動送風機１５の動作を制御できる。
【００２４】
電動送風機１５を挟み、制御基板の反対側に電源コードを巻き取り保持する図示しないコードリールが設けられている。電源コードは、図２に示す電源プラグ１２を持って引き出すことにより本体外へ引き出される。本体外へ引き出された電源コードは、図２に示す電源コード巻き取りボタン１３を操作することにより巻き取られ電機掃除機本体６内に保持される。
【００２５】
（空気の流れ）
次に、図３を使い空気の流れ、動作を説明する。なお、空気の流れはホース体５、延長管２、吸込口体１が電機掃除機本体６に接続された状態についての説明であるが、便宜上、ホース体５は図３から省略している。
【００２６】
まず、管体３に設けられた操作部４の入り切りスイッチを操作すると、電動送風機１５が駆動する。
【００２７】
それにより、後述する吸引口体１の開口２１から塵埃を含んだ空気を吸引すると、延長管２、管体３、ホース体５を経由して電機掃除機本体６内の集塵ユニット８内に吸引される。
【００２８】
集塵ユニット（集塵部）８内に吸引された塵埃を含んだ空気は、旋回部６１で塵埃を遠心分離しながら上方から下方へ旋回して下りていく。その過程で塵埃排出口ａ６２から比較的大きい塵埃を集塵室８ａ内に排出し、さらに旋回部６１の逆円錐状となっている下端に向けて旋回して、小さめの細かい塵埃を塵埃排出口ｂ６３から集塵室８ａ内に排出する。
【００２９】
塵埃が分離された空気は旋回部６１内を上昇し、排気筒６４に設けられた複数の小孔を通過し集塵ユニット排出口６５から本体吸込み口６６に吸引され、電機掃除機本体６側に吸引される。
【００３０】
電機掃除機本体６内に吸引された空気は、集塵ユニット８で分離しきれなかった微細な塵埃を含んでいる可能性があるので、微細な塵埃で電動送風機１５が不具合を起こさないよう、電動送風機１５に吸引される前に吸気側フィルター６７を通過させ微細な塵埃を捕集する。吸気側フィルター６７はＨＥＰＡフィルターという、塵埃捕集効率の高いフィルターで構成されている。
【００３１】
吸気側フィルター６７を通過し電動送風機１５に吸引された後、電動送風機１５から排出された空気は、電機掃除機本体６外へ排出される前に、さらに排気側フィルター６８を通過する。
【００３２】
排気側フィルター６８はＵＬＰＡフィルターという、ＨＥＰＡフィルターよりも塵埃捕集効率が高いフィルターで構成されている。これは電機掃除機本体６外へ排出される空気をよりきれいにするためのものである。
【００３３】
排気側フィルター６８を通過した空気は、電機掃除機本体６の底面付近等を通過して本体排気口６９を通過、さらに本体排気口６９を覆うように設けられたカバー部材（排気口カバー）７０を通過して電機掃除機本体６外へ排出される。
【００３４】
なお、本発明の実施の形態１の吸込口体１が接続される電気掃除機は、吸い込んだ塵埃を含む空気から遠心分離で塵埃を分離するサイクロン式の構成で説明したがサイクロン式に限定されるものではなく、集塵袋である紙パックにより空気と塵埃を分離する紙パック方式の電気掃除機でもよい。
【００３５】
また、本発明の実施の形態１の吸込口体１が接続される電気掃除機は、ホース体を備え、電源コードを接続して商用電源で電動送風機を駆動するキャニスタータイプの構成で説明したがキャニスタータイプに限定されるものではなく、二次電池により電動送風機を駆動するコードレスのハンディやスティックというタイプの電気掃除機でもよい。
【００３６】
（吸込口体の構成）
次に、図４から図１１により、本発明の実施の形態１に係る電気掃除機の吸込口体の構成について詳しく説明する。
【００３７】
図４は本発明の実施の形態１に係る電気掃除機の吸込口体を上方から見た平面図、図５は本発明の実施の形態１に係る電気掃除機の吸込口体を下方（被清掃面側）から見た平面図、図６は本発明の実施の形態１に係る電気掃除機の吸込口体から回転ブラシを取り外した状態で下方（被清掃面側）から見た平面図、図７は図４に示す切断線Ａ−Ａで切断し側面方向から見た本発明の実施の形態１に係る電気掃除機の吸込口体の断面図、図８は図４に示す切断線Ｂ−Ｂで切断し側面方向から見た本発明の実施の形態１に係る電気掃除機の吸込口体の断面図、図９は図６に示す切断線Ｃ−Ｃで切断し前側方向から見た本発明の実施の形態１に係る電気掃除機の吸込口体の断面図、図１０は本発明の実施の形態１に係る電気掃除機の吸込口体から取り外した傾斜部の単体図、図１１は本発明の実施の形態１に係る電気掃除機の吸込口体の傾斜部を構成する部品の組付状態を示す要部断面図である。
【００３８】
吸込口体１は、電動送風機１５の駆動により発生する吸引空気により、被清掃面（床面）にある塵埃を空気と一緒に吸引するものである。吸込口体１は、射出成形で形成された硬質の樹脂成形部品である上ケース１ａと、同様に射出成形で形成された硬質の樹脂成形部品である下ケース１ｂと、接続管部３１で構成される。
【００３９】
上ケース１ａと下ケース１ｂは前後方向が短く左右方向が長くなっており、左右の中心部に接続管部３１が回動及び前後方向の可動が可能な状態で取付けられ、アルファベットのＴ字状になっている。接続管部３１は、図７に示すように摺動嵌合部３１ｃを上ケース１ａと下ケース１ｂで上下から挟み込みようにして取付けられる。
【００４０】
接続管部３１は、接続部３１ｄを有しており、延長管２の一端に接続部３１ｄを挿入して延長管２と接続される。
【００４１】
吸込口体１の前側には緩衝部材１６が取付けられている。緩衝部材１６は軟質の樹脂素材で形成されており、清掃時に吸込口体１が壁や家具等に当たっても、それらが傷付かないようにするためのものである。
【００４２】
吸込口体１は図５に示すように、被清掃面側に開口２１を有する。開口２１は被清掃面（床面）にある塵埃を空気と一緒に吸引するための開口である。開口２１内には被清掃面（床面）から塵埃を掻き上げるための回転ブラシ１７が収容されている。
【００４３】
回転ブラシ１７は、吸込口体１に収容された図示しない電動機で駆動される。回転ブラシ１７は、図示しないギア、プーリー、ベルト等により電動機から動力が伝達され回転する。
【００４４】
また、吸込口体１は図５に示すように、被清掃面側の後ろ側に車輪１８が取付けられている。車輪１８は、吸込口体１が被清掃面上をスムーズにするためのものである。
【００４５】
さらに、吸込口体１は図５に示すように、被清掃面側に拭き部材１９、２０ａ、２０ｂ、２０ｃ、２０ｄが設けられている。拭き部材１９、２０ａ、２０ｂ、２０ｃ、２０ｄは例えば起毛布で、吸引しきれなかった細かい塵埃を拭き取るためのものである。
【００４６】
それから、吸込口体１は図５に示すように、被清掃面側に後述する傾斜部２２を構成する傾斜部下面部材２３が、吸込口体１の被清掃面側の一部を構成するように取付けられている。傾斜部下面部材２３は下ケース１ｂの平面部とほぼ同一の平面となるように取付けられている。傾斜部下面部材２３は開口２１の一辺である開口後端辺２３ａを形成している。
【００４７】
傾斜部２２は、図７、図１０に示すように傾斜部下面部材２３と傾斜部上面部材２４の２部品で構成される。傾斜部下面部材２３と傾斜部上面部材２４は、どちらも射出成形で形成された硬質の樹脂成形部品である。
【００４８】
図７に示すように、傾斜部２２は、傾斜部下面部材２３に設けられた凸部２３ｂと、傾斜部上面部材２４に設けられた溝部２４ｄを嵌め合わせ、傾斜部上面部材２４の下ケース嵌合部２４ｃを下ケースの一部と嵌め合わせた状態で、図示しない例えばネジのような締結部材で取付けられる。
【００４９】
傾斜部下面部材２３に設けられた凸部２３ｂと、傾斜部上面部材２４に設けられた溝部２４ｄを嵌め合わせるようにすることで、合わせ目から空気が抜け難くなるようにしている。
【００５０】
図７に示すように、吸込口体１内には回転ブラシ１７を収容する回転ブラシ室４１が設けられている。回転ブラシ室は、下ケース１ｂの一部である回転ブラシ室壁面部材（円弧形状）４１ａを備える。
【００５１】
回転ブラシ室壁面部材（円弧形状）４１ａから接続管部３１方向へ連なる連通空間天面５１ａと、第１傾斜面２４ａ及び第２傾斜面２４ｂで連通空間５１を形成している。連通空間５１は、開口２１及び回転ブラシ室４１と、接続管部３１の吸引口３１ｂを通る通風路３１ａとを通風可能に連通する空間である。
【００５２】
図７に示すように、傾斜部２２の第１傾斜面２４ａ及び第２傾斜面２４ｂは、開口２１の開口後端辺２３ａから、接続管部３１の吸引口３１ｂ側へ向かって上昇するように傾斜している。このように傾斜させることで、吸引した塵埃を含む吸引風がスムーズに開口２１から接続管部３１の吸引口３１ｂへ導くことができる。
【００５３】
また、連通空間天面５１ａも傾斜部２２の第１傾斜面２４ａ及び第２傾斜面２４ｂと同じ方向に傾斜するように形成されている。傾斜部２２の第１傾斜面２４ａ及び第２傾斜面２４ｂと連通空間天面５１ａが同じ方向に傾斜していることで、吸引風に乱流が発生し難くなるので吸引性能が向上し、乱流による気流音の抑制もできる。
【００５４】
傾斜部２２の第１傾斜面２４ａと第２傾斜面２４ｂの異なる２つの傾斜面を備える。図７に示すように第１傾斜面２４ａは第２傾斜面２４ｂよりも傾斜が緩やかになっている。第１傾斜面２４ａは図９、図１０に示すように吸込口体１の中央部に設けられている。吸込口体１の中央部には接続管部３１が取付けられている。
【００５５】
接続管部３１は前後方向の可動が可能であると前述したが、図７に示す接続管部３１は前方に最大限に可動させた状態である。図７に示すように接続管部３１を前方に最大限に可動させた状態のとき、第１傾斜面２４ａは、接続管部３１の吸引口３１ｂの最下端よりも下にくるようになっている。
【００５６】
接続管部３１を前方に最大限に可動させた状態のとき、傾斜が第２傾斜面２４ｂと同じ傾斜であった場合、接続管部３１の吸引口３１ｂを一部覆うようになってしまう。つまり、風路を一部覆うようになってしまうので吸引性能が低下してしまう。また、風路が一部覆われた状態で吸引すると風切音が発生してしまう。
【００５７】
よって、接続管部３１を前方に最大限に可動させた状態であっても吸引性能を低下させないように、また、風切音が発生しないようにするため、傾斜部２２が接続管部３１の吸引口３１ｂの一部を覆うことが無いように第１傾斜面２４ａと第２傾斜面２４ｂで傾斜の角度を異ならせ、第１傾斜面２４ａを第２傾斜面２４ｂよりも緩やかにしている。
【００５８】
傾斜部２２は前後方向だけではなく、左右の長手方向にも傾斜が設けられている。図１０に示すように、傾斜部２２の中央部寄りの高さＨ２は、端部寄りの高さＨ１よりも高い。つまり、Ｈ２＞Ｈ１のように端部寄りから中央部寄りに高くなるように傾斜している。
【００５９】
言い換えると、吸込口体１の端部寄りから接続管部３１の一端側にある吸引口３１ｂに向かって傾斜している。このように傾斜させることで、吸込口体１の端部寄りで吸引された塵埃を含む吸引風が、スムーズに接続管部３１の吸引口３１ｂに吸引できるようになる。
【００６０】
図８は図４に示す切断線Ｂ−Ｂで切断した切断図である。つまり、中央部から端部側にずれた位置の切断図ということである。端部側にずれた位置では、回転ブラシ室壁面部材（円弧形状）４１ａの円弧の延長上に仕切り壁４１ｂが設けられている。仕切り壁４１ｂは図９に示すように、中央部の一定の幅Ｗを除き両側に形成されている。
【００６１】
吸引口３１ｂを有する接続管部３１は吸込口体１の中央部に取付けられている。吸引風は接続管部３１の吸引口３１ｂがある中央部が一番強く風速が速いが、吸込口体１は左右に長い形状であるため、左右の端部に近くなるほど、風速が遅くなり吸引力が弱くなってしまう。
【００６２】
そこで、吸引風の風速低下を抑制するため、中央部から両側へ延びる回転ブラシ室４１の回転ブラシ室壁面部材（円弧形状）４１ａの円弧の延長上に仕切り壁４１ｂを設けることで、回転ブラシ室４１の空間を狭くするようにしている。吸引風の通過する空間が狭くなることで風速の低下を抑制でき、吸引力の低下が抑制できる。
【００６３】
但し、仕切り壁４１ｂを長くしすぎると、回転ブラシ１７が掻き上げた塵埃が仕切り壁４１ｂに衝突し、回転ブラシ１７側に跳ね返されたりすることでスムーズに接続管部３１の吸引口３１ｂに吸引されない虞があり、図８に示すように仕切り壁４１の下端４１ｃが回転ブラシ１７の回動軸Ｆを通る、被清掃面を水平としたときに被清掃面と平行な直線Ｇまでとなるように仕切り壁４１は形成されている。
【００６４】
被清掃面と平行な直線Ｇまでとなるように仕切り壁４１を形成することで、回転ブラシ１７が掻き上げた塵埃が仕切り壁４１ｂに衝突する塵埃の量を減らし、回転ブラシ１７側に跳ね返される塵埃の量を減らすことができ、塵埃がスムーズに接続管部３１の吸引口３１ｂに吸引されるようになる。
【００６５】
仕切り壁４１ｂを挟んで回転ブラシ室４１と反対側には塵埃一次滞留部４２が設けられている。この塵埃一次滞留部４２には、回転ブラシ１７が掻き上げた塵埃が傾斜部２２と仕切り壁４１の下端４１ｃとの間を通り、接続管部３１の吸引口３１ｂに吸引されるまで一時的に滞留する空間であるが、塵埃一次滞留部４２に滞留する塵埃は仕切り壁４１により回転ブラシ１７側に戻り難く、接続管部３１の吸引口３１ｂに吸引されやすくなっている。
【００６６】
この仕切り壁４１は、左右に長い形状の吸込口体１において、左右の端部寄りの風速が遅くなり吸引力が低下することを抑制するために設けているものであるので、吸引力が最も強い中央部、つまり接続管部３１の吸引口３１ｂが取付けられている箇所では、仕切り壁４１を設けていない、あるいは他の場所よりも低くしている範囲がある。
【００６７】
風速が速い箇所の近辺では、仕切り壁４１が塵埃を含んだ空気の吸引の妨げになることがあるので、図９に示すようにＷの範囲で仕切り壁４１を設けていない、あるいは他の場所よりも低く構成されている。
【００６８】
この範囲Ｗの寸法は、図７に示す接続管部３１の通風路３１ａの内径φＤと同じかそれ以上、つまりＷ≧φＤに設定されている。このようにすることで、仕切り壁４１を設けていない、あるいは他の場所よりも低く構成された範囲が接続管部３１の通風路３１ａよりも狭くならず、空気の吸引を妨げることがない。
【００６９】
仕切り壁４１の回転ブラシ室４１側は回転ブラシ室壁面部材（円弧形状）４１ａの内面に沿って図８に示す垂線Ｅに重なるように構成されており、開口２１の開口後端辺２３ａも同様に垂線Ｅに重なるように構成されている。
【００７０】
つまり、仕切り壁４１の回転ブラシ室４１側と開口後端辺２３ａは、被清掃面側から垂直方向でみたときに同一直線上に配置されている。このように配置することで、吸引風の流れを乱れにくく、言い換えると乱流を起こし難くすることができる。なお、全くの同一線上でなくとも、垂線Ｅを境に前後５ｍｍ程度のずれの範囲であれば、ほぼ同様に乱流を起こし難い構成にできる。
【００７１】
以上のように、傾斜部２２の第１傾斜面２４ａ及び第２傾斜面２４ｂは、開口２１の開口後端辺２３ａから、接続管部３１の吸引口３１ｂ側へ向かって上昇するように傾斜させるようにしたので、吸引した塵埃を含む吸引風がスムーズに開口２１から接続管部３１の吸引口３１ｂへ導くことができる。
【００７２】
また、連通空間天面５１ａが傾斜部２２の第１傾斜面２４ａ及び第２傾斜面２４ｂと同じ方向に傾斜するようにしたので、吸引風に乱流が発生し難くなるので吸引性能が向上し、乱流による気流音の抑制もできる。
【００７３】
さらに、傾斜部２２が接続管部３１の吸引口３１ｂの一部を覆うことが無いように第１傾斜面２４ａと第２傾斜面２４ｂで傾斜の角度を異ならせ、第１傾斜面２４ａを第２傾斜面２４ｂよりも緩やかにしたので、接続管部３１を前方に最大限に可動させた状態であっても吸引性能を低下させないように、また、風切音が発生しないようにできる。
【００７４】
それから、傾斜部２２を吸込口体１の端部寄りから接続管部３１の一端側にある吸引口３１ｂに向かって傾斜させるようにしたので、吸込口体１の端部寄りで吸引された塵埃を含む吸引風が、スムーズに接続管部３１の吸引口３１ｂに吸引できる。
【００７５】
また、左右に長い吸込口体１の左右の端部に近い箇所の吸引風の風速低下を抑制するため、中央部から両側へ延びる回転ブラシ室４１の回転ブラシ室壁面部材（円弧形状）４１ａの円弧の延長上に仕切り壁４１ｂを設け、回転ブラシ室４１の空間を狭くするようにしたので風速の低下を抑制でき、吸引力の低下が抑制できる。
【００７６】
さらに、吸引力が最も強い中央部の接続管部３１の吸引口３１ｂが取付けられている箇所では、仕切り壁４１を設けていない、あるいは他の場所よりも低くしている範囲Ｗが設定され、その範囲Ｗは接続管部３１の通風路３１ａの内径φＤと同じかそれ以上に設定されているので、接続管部３１の通風路３１ａよりも狭くならず、空気の吸引を妨げることがない。
【符号の説明】
【００７７】
１  吸込口体、１ａ  上ケース、１ｂ  下ケース、２  延長管、３  管体、３ａ  手元ハンドル部、４  操作部、５  ホース体、５ａ  接続部、５ｂ  可撓性軟質管、６  電気掃除機本体、６ａ  集塵ユニット収容部、７  挿入口、８  集塵ユニット（集塵部）、８ａ  集塵室、８ｂ  塵埃分離部、９  ハンドル、１０  前輪、１１  後輪、１２  電源プラグ、１３  電源コード巻き取りボタン、１５  電動送風機、１６  緩衝部材、１７  回転ブラシ、１８  車輪、１９  拭き部材、２０ａ  拭き部材、２０ｂ  拭き部材、２０ｃ  拭き部材、２０ｄ  拭き部材、２１  開口、２２  傾斜部、２３  傾斜部下面部材、２３ａ  開口後端辺、２３ｂ  凸部、２４  傾斜部上面部材、２４ａ  第１傾斜面、２４ｂ  第２傾斜面、２４ｃ  下ケース嵌合部、２４ｄ  溝部、３１  接続管部、３１ａ  通風路、３１ｂ  吸引口、３１ｃ  摺動嵌合部、３１ｄ  接続部、４１  回転ブラシ室、４１ａ  回転ブラシ室壁面部材（円弧形状）、４１ｂ  仕切り壁、４１ｃ  仕切り壁下端、４２  塵埃一次滞留部、５１  連通空間、５１ａ  連通空間天面、６１  旋回部、６２  塵埃排出口ａ、６３  塵埃排出口ｂ、６４  排気筒、６５  集塵ユニット排出口、６６  本体吸込み口、６７  吸気側フィルター、６８  排気側フィルター、６９  本体排気口、７０  カバー部材（排気口カバー）、１００  電気掃除機。
【図１】
2020000562.tif 000003
【図２】
2020000562.tif 000004
【図３】
2020000562.tif 000005
【図４】
2020000562.tif 000006
【図５】
2020000562.tif 000007
【図６】
2020000562.tif 000008
【図７】
2020000562.tif 000009
【図８】
2020000562.tif 000010
【図９】
2020000562.tif 000011
【図１０】
2020000562.tif 000012
【図１１】
2020000562.tif 000013